(57)【要約】【課題】本発明の目的は、紫外線により効率よく励起され赤色発光する希土類ニオブ酸塩蛍光体を用いてランプ光束及び演色性の優れた蛍光ランプを提供することである。【解決手段】透光性気密容器と、透光性気密容器内に形成された蛍光体層と、透光性気密容器内に封入された放電媒体と、電極とを具備する蛍光ランプにおいて、前記蛍光体層はイットリウム、ランタン、ガドリニウム、ルテチウム、テルビウム及びスカンジウムから選択される少なくとも１種の元素と、ユーロピウムと、ニオブと、バナジウム及びタンタルから選択される少なくとも１種の元素と、酸素を基本構成元素とする希土類ニオブ酸塩蛍光体であって、蛍光体中に含まれる希土類元素の全モル数に対するユウロピウムのモル数の比が０．０００１以上、０．５以下の範囲であり、ニオブとバナジウムとタンタルの全モル数に対するニオブのモル数の比が０．５以上、１．０以下の範囲である希土類ニオブ酸塩蛍光体を含むことを特徴とする本発明の蛍光ランプは、ランプ光束及び演色性が優れている。【選択図】図１
2006073209.tif 000002
【特許請求の範囲】
【請求項１】
透光性気密容器と、透光性気密容器内に形成された蛍光体層と、透光性気密容器内に封入された放電媒体と、電極とを具備する蛍光ランプにおいて、前記蛍光体層はイットリウム、ランタン、ガドリニウム、ルテチウム、テルビウム及びスカンジウムから選択される少なくとも１種の元素と、ユーロピウムと、ニオブと、バナジウム及びタンタルから選択される少なくとも１種の元素と、酸素を基本構成元素とする希土類ニオブ酸塩蛍光体であって、蛍光体中に含まれる希土類元素の全モル数に対するユウロピウムのモル数の比が０．０００１以上、０．５以下の範囲であり、ニオブとバナジウムとタンタルの全モル数に対するニオブのモル数の比が０．５以上、１．０以下の範囲である希土類ニオブ酸塩蛍光体を含むことを特徴とする蛍光ランプ。
【請求項２】
透光性気密容器と、透光性気密容器内に形成された蛍光体層と、透光性気密容器内に封入された放電媒体と、電極とを具備する蛍光ランプにおいて、前記蛍光体層は一般式が次式で表される希土類ニオブ酸塩蛍光体を含むことを特徴とする蛍光ランプ。
（Ｒ１−ａＥｕａ）（Ｍ１−ｂＮｂｂ）Ｏ４
（但し、ＲはＹ、Ｌａ、Ｇｄ、Ｌｕ、Ｔｂ及びＳｃから選択される少なくとも１種の元素、ＭはＶ及びＴａから選択される少なくとも１種の元素、０．０００１≦ａ≦０．５、０．５≦ｂ≦１．０）
【請求項３】
前記蛍光体の発光スペクトルのピーク波長が少なくとも６１０〜６１４ｎｍの範囲にあり、且つ励起スペクトルのピーク波長が少なくとも２３０〜２８０ｎｍの範囲にあることを特徴とする請求項１又は２に記載の蛍光ランプ。
【請求項４】
前記蛍光体の平均粒径が１．０〜５．０μｍの範囲にあり、中央粒径が３．０〜１０．０μｍの範囲にあり、且つ分散度が０．４０〜０．８０の範囲にあることを特徴とする請求項１乃至３に記載の蛍光ランプ。
【請求項５】
前記蛍光ランプは冷陰極蛍光ランプであることを特徴とする請求項１乃至４に記載の蛍光ランプ。
【発明の詳細な説明】
【技術分野】
【０００１】
本発明は、紫外線により効率よく励起され赤色発光する希土類ニオブ酸塩蛍光体を用いた蛍光ランプに関する。
【背景技術】
【０００２】
従来から、紫外線で励起され赤色発光する蛍光ランプ用蛍光体として、主にＹ２Ｏ３：Ｅｕ蛍光体が使用されているが、この蛍光体は深赤色域の発光強度が低く、三波長域発光形蛍光ランプに用いた場合、ランプ光束は高いものの演色性が十分でなかった。特に、赤色成分を示す指標である特殊演色評価数（Ｒ９）が低いため、ラップトップパーソナルコンピュータ等の液晶表示のバックライトに使用される冷陰極蛍光ランプに用いた場合、赤色の色再現範囲が狭いという問題があった。
【０００３】
また、冷陰極蛍光ランプに用いられる赤色蛍光体として、特開２００２−１８４３５７号公報に、Ｙ２Ｏ３：Ｅｕの他にＹ（ＰＶ）Ｏ４：Ｅｕ、ＹＶＯ４：Ｅｕ、３．５ＭｇＯ・０．５ＭｇＦ２・ＧｅＯ２：Ｍｎ、（Ｓｒ，Ｍｇ）３（ＰＯ４）２：Ｓｎ、ＣａＳｉＯ３：Ｐｂ，Ｍｎが挙げられているが、いずれもランプ光束、演色性をともに満足するものではなかった。
【発明の開示】
【発明が解決しようとする課題】
【０００４】
本発明は、このような問題点を解決するためになされたものである。本発明の目的は、紫外線により効率よく励起され赤色発光する希土類ニオブ酸塩蛍光体を用いてランプ光束及び演色性の優れた蛍光ランプを提供することである。
【課題を解決するための手段】
【０００５】
上記目的を達成するために本発明者らは鋭意検討を重ねた結果、特定の組成を有する希土類ニオブ酸塩蛍光体は深赤色域の発光強度が高く、この蛍光体を用いた蛍光ランプはランプ光束及び演色性が優れていることを新たに見いだし本発明を完成させるに至った。
【０００６】
（１）本発明の蛍光ランプは、透光性気密容器と、透光性気密容器内に形成された蛍光体層と、透光性気密容器内に封入された放電媒体と、電極とを具備する蛍光ランプにおいて、前記蛍光体層はイットリウム、ランタン、ガドリニウム、ルテチウム、テルビウム及びスカンジウムから選択される少なくとも１種の元素と、ユーロピウムと、ニオブと、バナジウム及びタンタルから選択される少なくとも１種の元素と、酸素を基本構成元素とする希土類ニオブ酸塩蛍光体であって、蛍光体中に含まれる希土類元素の全モル数に対するユウロピウムのモル数の比が０．０００１以上、０．５以下の範囲であり、ニオブとバナジウムとタンタルの全モル数に対するニオブのモル数の比が０．５以上、１．０以下の範囲である希土類ニオブ酸塩蛍光体を含むことを特徴とする。蛍光体中に含まれる希土類元素の全モル数に対するユウロピウムのモル数の比が０．０００１より小さくても、逆に０．５より大きくても紫外線励起による発光輝度は低下してしまう。また、蛍光体中に含まれるニオブとバナジウムとタンタルの全モル数に対するニオブのモル数の比が０．５より小さくても紫外線励起による発光輝度は低下してしまう。
【０００７】
（２）本発明の蛍光ランプは、透光性気密容器と、透光性気密容器内に形成された蛍光体層と、透光性気密容器内に封入された放電媒体と、電極とを具備する蛍光ランプにおいて、前記蛍光体層は一般式が次式で表される希土類ニオブ酸塩蛍光体を含むことを特徴とする。
（Ｒ１−ａＥｕａ）（Ｍ１−ｂＮｂｂ）Ｏ４
（但し、ＲはＹ、Ｌａ、Ｇｄ、Ｌｕ、Ｔｂ及びＳｃから選択される少なくとも１種の元素、ＭはＶ及びＴａから選択される少なくとも１種の元素、０．０００１≦ａ≦０．５、０．５≦ｂ≦１．０）
ａ値が０．０００１より小さくても、逆に０．５より大きくても紫外線励起による発光輝度は低下してしまう。また、ｂ値が０．５より小さくても紫外線励起による発光輝度は低下してしまう。
【０００８】
（３）本発明の蛍光ランプは、前記蛍光体の発光スペクトルのピーク波長が少なくとも６１０〜６１４ｎｍの範囲にあり、且つ励起スペクトルのピーク波長が少なくとも２３０〜２８０ｎｍの範囲にあることを特徴とする（１）又は（２）に記載の蛍光ランプである。すなわち、本発明に用いられる蛍光体は、発光スペクトルのピーク波長が少なくとも６１０〜６１４ｎｍの範囲にある赤色発光蛍光体であって、励起スペクトルのピーク波長が少なくとも２３０〜２８０ｎｍの範囲にあるため、２５４ｎｍ紫外線が主要励起源である蛍光ランプに好適に用いることができる。
【０００９】
（４）本発明の蛍光ランプは、前記蛍光体の平均粒径が１．０〜５．０μｍの範囲にあり、中央粒径が３．０〜１０．０μｍの範囲にあり、且つ分散度が０．４０〜０．８０の範囲にあることを特徴とする（１）乃至（３）に記載の蛍光ランプである。ここで、平均粒径は空気透過法によるフィッシャー・サブ・シーブ・サイザー（Ｆ.Ｓ.Ｓ.Ｓ）を用いて測定した値であり、一次粒子の大きさを示す。中央粒径は電気抵抗法のコールターマルチサイザーII(コールター社製)を用いて測定し、５０％粒子径（体積基準）を示す。この場合、粒子が強く凝集していると一次粒子にまで分散させることは難しく、凝集した二次粒子が測定にかかる。また、分散度は平均粒径を中央粒径で除した値であり、これを分散度と定義する。この値が大きいほど蛍光体の分散性が良いと評価できる。
【００１０】
本発明に用いられる蛍光体の平均粒径は１．０〜５．０μｍの範囲が好ましく、１．０〜４．０μｍの範囲がより好ましい。平均粒径が１．０μｍより小さいと発光効率が低下し、逆に、５．０μｍより大きいと蛍光ランプの塗布量が多くなってしまう。中央粒径は３．０〜１０．０μｍの範囲が好ましく、３．０〜８．０μｍの範囲がより好ましい。中央粒径が１０．０μｍより大きいと、塗布特性が悪くなる。また、分散度は０．４０〜０．８０の範囲が好ましく、０．５５〜０．７５の範囲がより好ましく、０．６０〜０．７０の範囲がさらに好ましい。分散度が０．４０より小さいと、凝集粒子が多いため、塗布特性が低下してしまう。中央粒径は３．０μｍより小さくてもよく、分散度は０．８０より大きくてもよいが、平均粒径の範囲によって制限される。
【００１１】
（５）本発明の蛍光ランプは、前記蛍光ランプが冷陰極蛍光ランプであることを特徴とする（１）乃至（４）に記載の蛍光ランプである。冷陰極蛍光ランプは、カラー液晶ディスプレイのバックライトとして用いられているが、カラーフィルターを通して画像を得る構造になっており、冷陰極ランプ用赤色発光蛍光体としては、赤色フィルターの波長域内に発光スペクトルのピーク波長があって、半値幅の狭い蛍光体が効率よく好ましい。さらに、冷陰極ランプは、管径が１〜４ｍｍと細く、工程にあった粒径選択が必要である。本発明に用いられる蛍光体は、冷陰極ランプ用赤色発光蛍光体として好ましい発光スペクトルと粒径を有している。
【発明の効果】
【００１２】
透光性気密容器と、透光性気密容器内に形成された蛍光体層と、透光性気密容器内に封入された放電媒体と、電極とを具備する蛍光ランプにおいて、前記蛍光体層はイットリウム、ランタン、ガドリニウム、ルテチウム、テルビウム及びスカンジウムから選択される少なくとも１種の元素と、ユーロピウムと、ニオブと、バナジウム及びタンタルから選択される少なくとも１種の元素と、酸素を基本構成元素とする希土類ニオブ酸塩蛍光体であって、蛍光体中に含まれる希土類元素の全モル数に対するユウロピウムのモル数の比が０．０００１以上、０．５以下の範囲であり、ニオブとバナジウムとタンタルの全モル数に対するニオブのモル数の比が０．５以上、１．０以下の範囲である希土類ニオブ酸塩蛍光体を含むことを特徴とする本発明の蛍光ランプは、ランプ光束及び演色性が優れている。
【発明を実施するための最良の形態】
【００１３】
以下、本発明の実施の形態を図面に基づいて説明する。ただし、以下に示す実施の形態は、本発明の技術思想を具体化するための希土類ニオブ酸塩蛍光体を用いた蛍光ランプを例示するものであって、本発明は希土類ニオブ酸塩蛍光体を用いた蛍光ランプを以下のものに特定しない。
【００１４】
ここで、本発明の一実施の形態に係る希土類ニオブ酸塩蛍光体の製造方法について詳細に説明する。蛍光体原料として、イットリウム、ランタン、ガドリニウム、ルテチウム、テルビウム及びスカンジウムから選択される少なくとも１種の元素の化合物と、ユーロピウム化合物と、ニオブと、バナジウム及びタンタルから選択される少なくとも１種の元素の化合物を用い、各化合物について、例えば一般式（Ｒ１−ａＥｕａ）（Ｍ１−ｂＮｂｂ）Ｏ４
（但し、ＲはＹ、Ｌａ、Ｇｄ、Ｌｕ、Ｔｂ及びＳｃから選択される少なくとも１種の元素、ＭはＶ及びＴａから選択される少なくとも１種の元素、０．０００１≦ａ≦０．５、０．５≦ｂ≦１．０）の割合になるように秤取し、混合するか、又はこれら蛍光体原料にフラックスを加えて混合し、原料混合物を得る。この原料混合物をルツボに充填後、炉内に入れ、空気中、９００〜１５００℃で焼成する。冷却後、焼成品を湿式で分散処理した後、分離乾燥して本発明の希土類ニオブ酸塩蛍光体を得る。
【００１５】
蛍光体原料として、酸化物又は熱分解により酸化物となる化合物が好ましく用いられる。例えば、炭酸塩、水酸化物、硝酸塩、シュウ酸塩などの高温で分解し酸化物となる化合物が好ましい。また、蛍光体を構成する元素を全部又は一部含む共沈物やこれらを仮焼して得られる酸化物を用いることもできる。例えば、イットリウム、ランタン、ガドリニウム、ルテチウム、テルビウム及びスカンジウムから選択される少なくとも１種の元素の化合物、ユーロピウム化合物としては、これら希土類元素の酸化物、又は炭酸塩、水酸化物、硝酸塩、シュウ酸塩などが使用できる。ニオブと、バナジウム及びタンタルから選択される少なくとも１種の元素の化合物としては、これら元素の酸化物、水酸化物などが使用できる。また、フラックスとしてはアルカリ土類化合物、ホウ素化合物等が好ましく、蛍光体原料１００重量部に対し０．０１〜１．０重量部の範囲で添加する。蛍光体原料をボールミル、Ｖ型混合機などで混合した後、アルミナ、石英、炭化珪素などのルツボに充填し、空気中、９００〜１５００℃で１〜２０時間焼成することが好ましい。
【００１６】
次に、本発明の希土類ニオブ酸塩蛍光体を用いて冷陰極ランプを作製する。先ず、蛍光体とピロリン酸カルシウム、カルシウムバリウムボレート等の結着剤をニトロセルロース／酢酸ブチル溶液に添加し、これらを混合し懸濁させて蛍光体塗布懸濁液を調製する。得られた蛍光体塗布懸濁液をガラス管の内面に流し込み、その後これに温風を通じることで乾燥させ、ベーキング、排気、フィラメントの装着、口金の取り付けを行い、冷陰極ランプを得る。本発明の蛍光体は２５４ｎｍ紫外線励起による発光輝度が高く、管径が１〜４ｍｍと細い冷陰極ランプに適した粒径範囲であるため、発光特性の優れた冷陰極ランプを得ることができる。
【００１７】
次に、本発明の希土類ニオブ酸塩蛍光体の特性について図を用いて説明する。本発明の実施例１の蛍光体と比較例１のＹ２Ｏ３：Ｅｕ蛍光体について、２５４ｎｍ励起による発光スペクトルを図１に、励起スペクトルを図２に示す。図１から、本発明の蛍光体は、発光スペクトルのピーク波長が少なくとも６１０〜６１４ｎｍの範囲にあり、半値幅が２〜６ｎｍの範囲にあって、紫外線励起により赤色発光することがわかる。また、本発明の蛍光体は、Ｙ２Ｏ３：Ｅｕ蛍光体に比べて、６５０〜７５０ｎｍの範囲の深赤色域の発光強度が高いことがわかる。さらに、図２から、本発明の蛍光体は、励起スペクトルのピーク波長が２３０〜２８０ｎｍｎｍの範囲にあって、紫外線により効率よく励起されることがわかる。
【００１８】
図３に、本発明の実施の形態に係る（Ｙ１−ａＥｕａ）ＮｂＯ４蛍光体について、２５４ｎｍ紫外線励起による相対輝度（％）とａ値との関係を示した。ここで、相対輝度は、浜松ホトニクス（株）の低圧水銀灯を用いて蛍光体に２５４ｎｍ紫外線を照射し、日立分光光度計を用いて測定したものであり、Ｙ２Ｏ３：Ｅｕ蛍光体の発光輝度を１００％にしたときの相対値を示す。この図から、相対輝度はａ値の増加とともに高くなり、ａ値が０．１付近を越えると徐々に低下していることがわかる。また、相対輝度はａ値が０．０００１≦ａ≦０．５の範囲で高く、０．０４≦ａ≦０．２５の範囲でより高く、０．０７≦ａ≦０．１５の範囲でさらに高くなっていることがわかる。
【００１９】
図４に、本発明の実施の形態に係る（Ｙ０．９３Ｅｕ０．０７）（Ｔａ１−ｂＮｂｂ）Ｏ４蛍光体について、２５４ｎｍ紫外線励起による相対輝度（％）とｂ値との関係を示した。ここで、相対輝度は、上記同様に測定したものであり、Ｙ２Ｏ３：Ｅｕ蛍光体の発光輝度を１００％にしたときの相対値を示す。この図から、相対輝度はｂ値の増加とともに高くなることがわかる。また、相対輝度はｂ値が０．５≦ｂ≦１．０の範囲で高く、０．８≦ｂ≦１．０の範囲でより高く、０．９≦ｂ≦１．０の範囲でさらに高くなっていることがわかる。
【００２０】
図3及び図４のように、蛍光体中に含まれる希土類元素の全モル数に対するユウロピウムのモル数の比が０．０００１以上、０．５以下の範囲であり、ニオブとバナジウムとタンタルの全モル数に対するニオブのモル数の比が０．５以上、１．０以下の範囲にある本発明の蛍光体は、紫外線励起による発光輝度が高く、蛍光ランプに用いた場合、ランプ光束の高い蛍光ランプが得られる。また、図１のように、本発明の蛍光体は、深赤色域の発光強度が高いため、三波長域発光形蛍光ランプに用いた場合、ランプ光束が高く、演色性の優れた蛍光ランプを得ることができる。特に、本発明の蛍光体は赤色成分を示す指標である特殊演色評価数（Ｒ９）が高く、ラップトップパーソナルコンピュータ等の液晶表示のバックライトに使用される冷陰極蛍光ランプに用いた場合、Ｙ２Ｏ３：Ｅｕ蛍光体よりも赤色の色再現範囲を広くすることができる。
【００２１】
以下、本発明の実施例について説明するが、本発明は具体的実施例のみに限定されるものではないことは言うまでもない。
【実施例】
【００２２】
［実施例１］
＜蛍光体＞
Ｙ２Ｏ３・・・・・・・・・０．４６５ｍｏｌ（１０５．０ｇ）
Ｎｂ２Ｏ５・・・・・・・・０．５００ｍｏｌ（１３２．９ｇ）
Ｅｕ２Ｏ３・・・・・・・・０．０３５ｍｏｌ（１２．３ｇ）
上記蛍光体原料を混合し、アルミナ坩堝に充填し、空気中にて、室温から１４００℃まで３００℃／ｈｒで昇温し、１４００℃で３時間焼成する。得られた焼成品を水中でボールミルし、水洗、分離、乾燥して、篩を通し、平均粒径が３．１μｍ、中央粒径が６．２μｍであり、分散度が０．５０である本発明の（Ｙ０．９３Ｅｕ０．０７）ＮｂＯ４蛍光体を得る。蛍光体の組成を表１に示す。この蛍光体は、２５４ｎｍ紫外線励起により、６１２ｎｍに発光ピークを有し、発光色は赤色で、色度座標値はｘ＝０．６６０、ｙ＝０．３３５である。また、励起スペクトルのピーク波長は２５５ｎｍである。発光スペクトルを図１に、励起スペクトルを図２に示す。
【００２３】
＜蛍光ランプ＞
このようにして得られる赤色発光の希土類ニオブ酸塩蛍光体と、ＢａＭｇＡｌ１０Ｏ１７：Ｅｕ青色発光蛍光体と、ＬａＰＯ４：Ｃｅ，Ｔｂ緑色発光蛍光体を所定の割合で混合する。この混合蛍光体とニトロセルロース／酢酸ブチルバインダーを磁製ポット中で十分混合し、蛍光体塗布スラリーを調製する。これをガラス管に流し込み、その内面に塗布し、温風を通じて乾燥し、５８０℃で１５分間塗布バルブをベーキングして、蛍光膜を形成する。その後、通常の方法に従い、排気、電極のマウント、口金の取り付けを行い、蛍光ランプを得る。蛍光ランプの色度座標値はｘ＝０．３４３，ｙ＝０．３５４、ランプ光束は３５２０ルーメン、平均演色評価数（Ｒａ）は８７である。
【００２４】
【表１】
2006073209.tif 000003
【００２５】
［実施例２〜４］
上記蛍光体原料を表１に示した蛍光体組成の割合で混合する以外は実施例１と同様にして蛍光体を作製する。
【００２６】
［実施例５］
蛍光体原料として、Ｖ２Ｏ５を加えて、表１に示した蛍光体組成の割合で混合する以外は実施例１と同様にして蛍光体を作製する。
【００２７】
［実施例６］
蛍光体原料として、Ｔａ２Ｏ５を加えて、表１に示した蛍光体組成の割合で混合する以外は実施例１と同様にして蛍光体を作製する。
【００２８】
［実施例７］
蛍光体原料として、Ｖ２Ｏ５及びＴａ２Ｏ５を加えて、表１に示した蛍光体組成の割合で混合する以外は実施例１と同様にして蛍光体を作製する。
【００２９】
［実施例８］
蛍光体原料として、Ｌａ２Ｏ３を加えて、表１に示した蛍光体組成の割合で混合する以外は実施例１と同様にして蛍光体を作製する。
【００３０】
［実施例９］
蛍光体原料として、Ｇｄ２Ｏ３を加えて、表１に示した蛍光体組成の割合で混合する以外は実施例１と同様にして蛍光体を作製する。
【００３１】
［実施例１０］
蛍光体原料として、Ｙ２Ｏ３の代わりにＧｄ２Ｏ３を使用し、表１に示した蛍光体組成の割合で混合する以外は実施例１と同様にして蛍光体を作製する。
【００３２】
［実施例１１］
蛍光体原料として、Ｔｂ４Ｏ７を加えて、表１に示した蛍光体組成の割合で混合する以外は実施例１と同様にして蛍光体を作製する。
【００３３】
［実施例１２］
蛍光体原料として、Ｌｕ２Ｏ３を加えて、表１に示した蛍光体組成の割合で混合する以外は実施例１と同様にして蛍光体を作製する。
【００３４】
［実施例１３］
蛍光体原料として、Ｙ２Ｏ３の代わりにＬｕ２Ｏ３を使用し、表１に示した蛍光体組成の割合で混合する以外は実施例１と同様にして蛍光体を作製する。
【００３５】
［比較例１］
＜蛍光体＞
Ｙ２Ｏ３・・・・・・・・・０．４８０ｍｏｌ（１０８．４ｇ）
Ｅｕ２Ｏ３・・・・・・・・０．０２０ｍｏｌ（７．０４ｇ）
上記蛍光体原料を混合し、アルミナ坩堝に充填し、空気中にて、室温から１４００℃まで３００℃／ｈｒで昇温し、１４００℃で３時間焼成する。得られた焼成品を水中でボールミルし、水洗、分離、乾燥して、篩を通し、（Ｙ０．９６Ｅｕ０．０４）２Ｏ３蛍光体を得る。この蛍光体を２５４ｎｍ紫外線で励起したときの色度座標値はｘ＝０．６４３、ｙ＝０．３５１である。また、発光スペクトルを図１に、励起スペクトルを図２に示す。
【００３６】
＜蛍光ランプ＞
赤色発光蛍光体として上記（Ｙ０．９６Ｅｕ０．０４）２Ｏ３蛍光体を用いる以外は実施例１と同様にして蛍光ランプを作製する。蛍光ランプの色度座標値はｘ＝０．３４２，ｙ＝０．３５２、ランプ光束は３５１０ルーメン、平均演色評価数（Ｒａ）は８４である。
【００３７】
実施例１〜１３で得られる希土類ニオブ酸塩蛍光体について、２５４ｎｍ紫外線で励起したときの発光輝度と色度座標値を表２に示す。なお、この表に示した発光輝度はＹ２Ｏ３：Ｅｕ蛍光体の発光輝度を１００％にしたときの相対輝度である。表２から、本発明の蛍光体はＹ２Ｏ３：Ｅｕ蛍光体と同様に紫外線励起による発光輝度が高いことがわかる。また、本発明の蛍光体の色度座標値は、ｘ値が０．６３０≦ｘ≦０．６９０の範囲、ｙ値が０．３１０≦ｙ≦０．３６０の範囲にあって、赤色発光することがわかる。
【００３８】
【表２】
2006073209.tif 000004
【００３９】
実施例１、実施例１３及び比較例１で得られる希土類ニオブ酸塩蛍光体を用いて作製した蛍光ランプについて、色度座標値、ランプ光束及び平均演色評価数（Ｒａ）を表３に示す。表３から、本発明の実施例１及び実施例１３の蛍光ランプは、比較例１の蛍光ランプと同様にランプ光束が高く、さらに、比較例１の蛍光ランプに比べて平均演色評価数（Ｒａ）が高いことがわかる。このように、本発明によりランプ光束及び演色性の優れた蛍光ランプを得ることができる。
【００４０】
【表３】
2006073209.tif 000005
【産業上の利用可能性】
【００４１】
以上に述べたように、本発明の希土類ニオブ酸塩蛍光体を用いた蛍光ランプはランプ光束及び演色性が優れていることから、一般照明用蛍光ランプや冷陰極蛍光ランプなどに好適に用いることができる。
【図面の簡単な説明】
【００４２】
【図１】実施例１及び比較例１の蛍光体の発光スペクトルを示すグラフである。
【図２】実施例１及び比較例１の蛍光体の励起スペクトルを示すグラフである。
【図３】本発明の蛍光体の２５４ｎｍ紫外線励起による相対輝度（％）とａ値との関係を示す図である。
【図４】本発明の蛍光体の２５４ｎｍ紫外線励起による相対輝度（％）とｂ値との関係を示す図である。
【図１】
2006073209.tif 000006
【図２】
2006073209.tif 000007
【図３】
2006073209.tif 000008
【図４】
2006073209.tif 000009